(57)【要約】    【課題】      受信する電力の変動が伝搬路環境により大きく変化する場合においても、常に最適な測定区間長により高精度の電力測定が行えるようにすること。    【解決手段】  瞬時ＩＳＣＰ算出器１０１は、所定の定められた区間における逆変調シンボルの分散値を算出し、その値を瞬時ＩＳＣＰ値として出力する。ＩＳＣＰ平均化数算出器１０３は、ＩＳＣＰ変動量算出器１０２が算出したＩＳＣＰ変動量が、ある閾値以上になると短いＩＳＣＰ平均化数を算出し、ある閾値以下になると長いＩＳＣＰ平均化数を算出する。ＩＳＣＰ平均化器１０４は、瞬時ＩＳＣＰ値をＩＳＣＰ平均化数分平均化処理を行い、それをＩＳＣＰ値として出力する。  【選択図】      図１
2005167710.tif 000002
【特許請求の範囲】
【請求項１】
瞬時電力値を算出する瞬時電力算出手段と、
伝搬路環境を推定する伝搬路環境推定手段と、
前記伝搬路環境推定値に応じて電力測定平均化数を算出する電力測定平均化数算出手段と、
前記電力測定平均化数に応じた平均化数で前記瞬時電力算出手段にて算出された瞬時電力値の平均化処理を行う瞬時電力平均化手段と、
を具備することを特徴とする電力測定装置。
【請求項２】
前記伝搬路環境推定手段として、前記瞬時電力算出手段にて算出された瞬時電力値の変動量を算出する変動量算出手段、を具備することを特徴とする請求項１記載の電力測定装置。
【請求項３】
前記伝搬路環境推定手段として、フェージング変動量を出力する手段と、他セル干渉量を出力する手段と、マルチパス数を出力する手段と、他セルパス数を出力する手段とのいずれか１つの手段、または、それらを組み合わせた複数の手段を具備することを特徴とする請求項１記載の電力測定装置。
【請求項４】
前記伝搬路環境推定値の信頼度を算出する伝搬路環境推定値信頼度算出手段をさらに具備し、
前記電力測定平均化数算出手段は、前記伝搬路環境推定値と前記伝搬路環境推定信頼度に応じて電力測定平均化数を算出することを特徴とする請求項１記載の電力測定装置。
【請求項５】
瞬時干渉波電力値を算出する瞬時干渉波電力算出手段と、
伝搬路環境を推定する伝搬路環境推定手段と、
前記伝搬路環境推定値に応じて干渉波電力平均化数を算出する干渉波電力平均化数算出手段と、
前記干渉波電力平均化数に応じた平均化数で前記瞬時干渉波電力算出手段にて算出された瞬時干渉波電力値の平均化処理を行う干渉波電力平均化手段と、
を具備することを特徴とする干渉波電力測定装置。
【請求項６】
前記伝搬路環境推定手段として、前記瞬時干渉波電力算出手段にて算出された瞬時干渉波電力値の変動量を算出する干渉波電力変動量算出手段、を具備することを特徴とする請求項５記載の干渉波電力測定装置。
【請求項７】
前記伝搬路環境推定手段として、フェージング変動量を出力する手段と、他セル干渉量を出力する手段と、マルチパス数を出力する手段と、他セルパス数を出力する手段とのいずれか１つの手段、または、それらを組み合わせた複数の手段を具備することを特徴とする請求項５記載の干渉波電力測定装置。
【請求項８】
前記伝搬路環境推定値の信頼度を算出する伝搬路環境推定値信頼度算出手段をさらに具備し、
前記干渉波電力平均化数算出手段は、前記伝搬路環境推定値と前記伝搬路環境推定信頼度に応じて干渉波電力平均化数を算出することを特徴とする請求項５記載の干渉波電力測定装置。
【請求項９】
前記フェージング変動量を出力する手段は、ドップラー周波数を出力する手段と移動速度を検出する手段とのいずれか一方の手段、または、それらを組み合わせた複数の手段であることを特徴とする請求項７記載の干渉波電力測定装置。
【請求項１０】
瞬時希望波電力値を算出する瞬時希望波電力算出手段と、
伝搬路環境を推定する伝搬路環境推定手段と、
前記伝搬路環境推定値に応じて希望波電力平均化数を算出する希望波電力平均化数算出手段と、
前記希望波電力平均化数に応じた平均化数で前記瞬時希望波電力算出手段にて算出された瞬時希望波電力値の平均化処理を行う希望波電力平均化手段と、
を具備することを特徴とする希望波電力測定装置。
【請求項１１】
前記伝搬路環境推定手段として、前記瞬時希望波電力算出手段にて算出された瞬時希望波電力値の変動量を算出する希望波電力変動量算出手段、を具備することを特徴とする請求項１０記載の希望波電力測定装置。
【請求項１２】
前記伝搬路環境推定手段として、フェージング変動量を出力する手段、を具備することを特徴とする請求項１０記載の希望波電力測定装置。
【請求項１３】
前記伝搬路環境推定値の信頼度を算出する伝搬路環境推定値信頼度算出手段をさらに具備し、
前記希望波電力平均化数算出手段は、前記伝搬路環境推定値と前記伝搬路環境推定信頼度に応じて希望波電力平均化数を算出することを特徴とする請求項１０記載の希望波電力測定装置。
【請求項１４】
前記フェージング変動量を出力する手段は、ドップラー周波数を出力する手段と移動速度を検出する手段とのいずれか一方の手段、または、それらを組み合わせた複数の手段であることを特徴とする請求項１２記載の希望波電力測定装置。
【請求項１５】
請求項５から請求項９のいずれかに記載の干渉波電力測定装置と、請求項１１から請求項１４のいずれかに記載の希望波電力測定装置と、前記請求項１１から請求項１４のいずれかに記載の希望波電力測定装置が出力する希望波電力値を前記請求項５から請求項９のいずれかに記載の干渉波電力測定装置が出力する干渉波電力値にて除算し、希望波対干渉波電力比を求める希望波対干渉波電力比算出手段と、を具備することを特徴とする希望波対干渉波電力測定装置。
【請求項１６】
瞬時電力値を算出するステップと、
伝搬路環境を推定するステップと、
伝搬路環境推定値に応じて電力測定平均化数を算出するステップと、
電力測定平均化数に応じて瞬時電力値の平均化処理を行うステップと、
を有することを特徴とする電力測定方法。
【請求項１７】
前記伝搬路環境推定値の信頼度が低くなった場合には平均化数の制御を行わないことを特徴とする請求項１６記載の電力測定方法。
【発明の詳細な説明】
【技術分野】
【０００１】
本発明は、電力測定装置及び測定方法に関し、特にＣＤＭＡ通信システムでの移動機のように、受信する電力の変動が伝搬路環境によって大きく変化する場合における電力測定装置及び測定方法に関する。
【背景技術】
【０００２】
従来、ＣＤＭＡ通信システムでは、システム容量の増加を図る目的で、移動機の受信品質が常に目標品質と一致するように基地局送信電力の制御(下り送信電力制御)を行っている。この下り送信電力制御は、移動機における目標品質と測定したＳＩＲ(Signal Interference Ratio ：希望波対干渉波電力比)の大小比較結果に基づき行うものであるので、ＳＩＲの測定精度向上が求められる。
【０００３】
従来のＳＩＲ測定方法は、例えば、特許文献１に開示されている。図１０を参照してその概要を説明する。図１０は、従来のＳＩＲ測定装置の基本的な構成を示すブロック図である。図１０において、従来のＳＩＲ測定装置１０００は、検波器などから復調シンボルが入力される逆変調器１００１と、逆変調器１００１の一方の出力（逆変調シンボル）を受ける平均化器１００２と、逆変調器１００１の他方の出力（逆変調シンボル）と平均化器１００２の一方の出力とを受ける分散演算器１００３と、平均化器１００２の他方の出力を受ける２乗化器１００４と、分散演算器１００３の出力を受ける時間平均化器１００５と、２乗化器１００４の出力（ＲＳＣＰ値）と時間平均化器１００５の出力（ＩＳＣＰ値）を受けて外部にＳＩＲ値を出力するＳＩＲ算出器１００６と、を備えている。
【０００４】
次に、以上のように構成される従来のＳＩＲ測定装置１０００の動作を説明する。逆変調器１００１は、入力される復調シンボルから情報変調を取り除く逆変調を行い、その逆変調シンボルを平均化器１００２と分散演算器１００３とに与える。平均化器１００２は、逆変調器１００１から入力される逆変調シンボルについて定められた平均区間毎に平均値を算出し、それを２乗化器１００４に与える。２乗化器１００４は、平均化器１００２から入力される平均値について２乗演算を行い、それをＲＳＣＰ（Received Signal Code Power：希望波電力）値としてＳＩＲ算出器１００６に出力する。
【０００５】
分散演算器１００３は、逆変調器１００１から入力される逆変調シンボルと平均化器１００２から入力される平均値とから平均化区間における分散値を算出し、それを時間平均化器１００５に与える。時間平均化器１００５は、分散演算器１００３から入力される分散値をさらに忘却係数を用いて複数の分散値の平均値を求め、それをＩＳＣＰ（Interference Signal Code Power：干渉波電力）値としてＳＩＲ算出器１００６出力する。ＳＩＲ算出器１００６は、ＲＳＣＰ値からＩＳＣＰ値を除算し、それをＳＩＲ値として外部に出力する。
【特許文献１】特開平１０−１３５９０４号公報
【発明の開示】
【発明が解決しようとする課題】
【０００６】
ここで、ＣＤＭＡ通信システムでの移動機では、他セルからの信号やマルチパス信号が干渉波となるので、そのパス数が多くなると平均化効果により、ＩＳＣＰの変動は小さくなる。一方、他セルからの干渉波やマルチパス数が少なくなると、ドップラー周波数が高い場合にフェージング変動によってＩＳＣＰの変動は大きくなる。
【０００７】
したがって、ＩＳＣＰの測定では、他セル干渉波やマルチパス数が多い場合、またドップラー周波数が低くフェージング変動が遅い場合は、ＩＳＣＰの変動が小さいので、測定区間長を長くした方が測定精度は向上する。一方、他セルからの干渉波やマルチパス数が少なくドップラー周波数が高くフェージング変動が速い場合は、測定区間を短く制御しないとフェージング変動に追従できず測定精度の劣化を招く。
【０００８】
また、ＲＳＣＰの測定では、ドップラー周波数がＲＳＣＰ値の変動量の主要因となるので、ドップラー周波数が低くフェージング変動が遅い場合は、長く測定した方が測定精度は向上し、また、ドップラー周波数が高くフェージング変動が速い場合には、フェージング変動に追従させるため測定区間を短くした方が測定精度は向上する。
【０００９】
しかしながら、従来のＳＩＲ測定方法では、測定区間長を伝搬路環境に応じて適応的に制御することができないので、ある環境下においては高精度であっても、他の環境になると測定精度が劣化するということが考えられる。また、ＩＳＣＰについては、フェージング変動を考慮せずに長区間による測定を行っているので、ＩＳＣＰがフェージング変動する伝搬路環境においては、測定精度が大きく劣化する。
【００１０】
本発明は、かかる点に鑑みてなされたものであり、ＣＤＭＡ通信システムでの移動機のように、受信する電力の変動が伝搬路環境により大きく変化する場合においても、常に最適な測定区間長により高精度の電力測定を行うことができる電力測定装置及び測定方法を提供することを目的とする。
【課題を解決するための手段】
【００１１】
かかる課題を解決するため、本発明の電力測定装置は、瞬時電力値を算出する瞬時電力算出手段と、伝搬路環境を推定する伝搬路環境推定手段と、前記伝搬路環境推定値に応じて電力測定平均化数を算出する電力測定平均化数算出手段と、前記電力測定平均化数に応じた平均化数で前記瞬時電力算出手段にて算出された瞬時電力値の平均化処理を行う瞬時電力平均化手段と、を具備する構成を採る。
【００１２】
この構成によれば、常に伝搬路環境に応じた最適な測定区間長で電力を測定することができるので、高精度の電力測定を行うことができる。
【００１３】
本発明の電力測定装置は、請求項１記載の電力測定装置において、前記伝搬路環境推定手段として、前記瞬時電力算出手段にて算出された瞬時電力値の変動量を算出する変動量算出手段、を具備する構成を採る。
【００１４】
この構成によれば、伝搬路環境に応じた最適な測定区間長が得られるので、測定区間長を伝搬路環境に応じて適応的に制御できるようになる。
【００１５】
本発明の電力測定装置は、請求項１記載の電力測定装置において、前記伝搬路環境推定手段として、フェージング変動量を出力する手段と、他セル干渉量を出力する手段と、マルチパス数を出力する手段と、他セルパス数を出力する手段とのいずれか１つの手段、または、それらを組み合わせた複数の手段を具備する構成を採る。
【００１６】
この構成によれば、伝搬路環境に応じた最適な測定区間長が得られるので、測定区間長を伝搬路環境に応じて適応的に制御できるようになる。
【００１７】
本発明の電力測定装置は、請求項１記載の電力測定装置において、前記伝搬路環境推定値の信頼度を算出する伝搬路環境推定値信頼度算出手段をさらに具備し、前記電力測定平均化数算出手段は、前記伝搬路環境推定値と前記伝搬路環境推定信頼度に応じて電力測定平均化数を算出する構成を採る。
【００１８】
この構成によれば、伝搬路環境推定値誤りによる平均化長の誤制御を防ぐことができるので、高精度の電力測定を行うことができる。
【００１９】
本発明の干渉波電力測定装置は、瞬時干渉波電力値を算出する瞬時干渉波電力算出手段と、伝搬路環境を推定する伝搬路環境推定手段と、前記伝搬路環境推定値に応じて干渉波電力平均化数を算出する干渉波電力平均化数算出手段と、前記干渉波電力平均化数に応じた平均化数で前記瞬時干渉波電力算出手段にて算出された瞬時干渉波電力値の平均化処理を行う干渉波電力平均化手段と、を具備する構成を採る。
【００２０】
この構成によれば、常に伝搬路環境に応じた最適な測定区間長で干渉波電力が測定できるので、高精度の干渉波電力測定を行うことができる。
【００２１】
本発明の干渉波電力測定装置は、請求項５記載の干渉波電力測定装置において、前記伝搬路環境推定手段として、前記瞬時干渉波電力算出手段にて算出された瞬時干渉波電力値の変動量を算出する干渉波電力変動量算出手段、を具備する構成を採る。
【００２２】
この構成によれば、伝搬路環境に応じた最適な測定区間長が得られるので、干渉波電力の測定区間長を伝搬路環境に応じて適応的に制御できるようになる。
【００２３】
本発明の干渉波電力測定装置は、請求項５記載の干渉波電力測定装置において、前記伝搬路環境推定手段として、フェージング変動量を出力する手段と、他セル干渉量を出力する手段と、マルチパス数を出力する手段と、他セルパス数を出力する手段とのいずれか１つの手段、または、それらを組み合わせた複数の手段を具備する構成を採る。
【００２４】
この構成によれば、伝搬路環境に応じた最適な測定区間長が得られるので、干渉波電力の測定区間長を伝搬路環境に応じて適応的に制御できるようになる。
【００２５】
本発明の干渉波電力測定装置は、請求項５記載の干渉波電力測定装置において、前記伝搬路環境推定値の信頼度を算出する伝搬路環境推定値信頼度算出手段をさらに具備し、前記干渉波電力平均化数算出手段は、前記伝搬路環境推定値と前記伝搬路環境推定信頼度に応じて干渉波電力平均化数を算出する構成を採る。
【００２６】
この構成によれば、伝搬路環境推定値誤りによる平均化長の誤制御を防ぐことができるので、高精度の干渉波電力測定を行うことができる。
【００２７】
本発明の干渉波電力測定装置は、請求項７記載の干渉波電力測定装置において、前記フェージング変動量を出力する手段は、ドップラー周波数を出力する手段と移動速度を検出する手段とのいずれか一方の手段、または、それらを組み合わせた複数の手段であるという構成を採る。
【００２８】
この構成によれば、伝搬路環境推定値を与えるフェージング変動量をドップラー周波数や移動速度から得ることができる。
【００２９】
本発明の希望波電力測定装置は、瞬時希望波電力値を算出する瞬時希望波電力算出手段と、伝搬路環境を推定する伝搬路環境推定手段と、前記伝搬路環境推定値に応じて希望波電力平均化数を算出する希望波電力平均化数算出手段と、前記希望波電力平均化数に応じた平均化数で前記瞬時希望波電力算出手段にて算出された瞬時希望波電力値の平均化処理を行う希望波電力平均化手段と、を具備する構成を採る。
【００３０】
この構成によれば、常に伝搬路環境に応じた最適な測定区間長で希望波電力が測定できるので、高精度の希望波電力測定を行うことができる。
【００３１】
本発明の希望波電力測定装置は、請求項１０記載の希望波電力測定装置において、前記伝搬路環境推定手段として、前記瞬時希望波電力算出手段にて算出された瞬時希望波電力値の変動量を算出する希望波電力変動量算出手段、を具備する構成を採る。
【００３２】
この構成によれば、伝搬路環境に応じた最適な測定区間長が得られるので、希望波電力の測定区間長を伝搬路環境に応じて適応的に制御できるようになる。
【００３３】
本発明の希望波電力測定装置は、請求項１０記載の希望波電力測定装置において、前記伝搬路環境推定手段として、フェージング変動量を出力する手段、を具備する構成を採る。
【００３４】
この構成によれば、伝搬路環境に応じた最適な測定区間長が得られるので、希望波電力の測定区間長を伝搬路環境に応じて適応的に制御できるようになる。
【００３５】
本発明の希望波電力測定装置は、請求項１０記載の希望波電力測定装置において、前記伝搬路環境推定値の信頼度を算出する伝搬路環境推定値信頼度算出手段をさらに具備し、前記希望波電力平均化数算出手段は、前記伝搬路環境推定値と前記伝搬路環境推定信頼度に応じて希望波電力平均化数を算出する構成を採る。
【００３６】
この構成によれば、伝搬路環境推定値誤りによる平均化長の誤制御を防ぐことができるので、高精度の電力測定を行うことができる。
【００３７】
本発明の希望波電力測定装置は、請求項１２記載の希望波電力測定装置において、前記フェージング変動量を出力する手段は、ドップラー周波数を出力する手段と移動速度を検出する手段とのいずれか一方の手段、または、それらを組み合わせた複数の手段であるという構成を採る。
【００３８】
この構成によれば、伝搬路環境推定値を与えるフェージング変動量をドップラー周波数や移動速度から得ることができる。
【００３９】
本発明の希望波対干渉波電力測定装置は、請求項５から請求項９のいずれかに記載の干渉波電力測定装置と、請求項１１から請求項１４のいずれかに記載の希望波電力測定装置と、前記請求項１１から請求項１４のいずれかに記載の希望波電力測定装置が出力する希望波電力値を前記請求項５から請求項９のいずれかに記載の干渉波電力測定装置が出力する干渉波電力値にて除算し、希望波対干渉波電力比を求める希望波対干渉波電力比算出手段と、を具備する構成を採る。
【００４０】
この構成によれば、常に伝搬路環境に応じた最適な測定区間長で希望波対干渉波電力比を求めることができるので、高精度の希望波対干渉波電力比測定を行うことができる。
【００４１】
本発明の電力測定方法は、瞬時電力値を算出するステップと、伝搬路環境を推定するステップと、伝搬路環境推定値に応じて電力測定平均化数を算出するステップと、電力測定平均化数に応じて瞬時電力値の平均化処理を行うステップと、を有する。
【００４２】
この方法によれば、常に伝搬路環境に応じた最適な測定区間長で電力を測定することができるので、高精度の電力測定を行うことができる。
【００４３】
本発明の電力測定方法は、請求項１６記載の電力測定方法において、前記伝搬路環境推定値の信頼度が低くなった場合には平均化数の制御を行わないようにした。
【００４４】
この方法によれば、伝搬路環境推定値誤りによる平均化長の誤制御を防ぐことができ、高精度の電力測定を行うことができる。
【発明の効果】
【００４５】
本発明によれば、受信する電力の変動が伝搬路環境により大きく変化する場合においても、常に最適な測定区間長により高精度の電力測定を行うことができる。
【発明を実施するための最良の形態】
【００４６】
本発明の骨子は、測定区間長を伝搬路環境に応じて適応的に制御できるようにし、受信する電力の変動が伝搬路環境により大きく変化する場合においても、常に最適な測定区間長により高精度の電力測定が行えるようにすることにある。
【００４７】
以下、本発明の実施の形態について図面を参照して詳細に説明する。
【００４８】
（実施の形態１）
図１は、本発明の実施の形態１に係る電力測定装置である干渉波電力（ＩＳＣＰ）測定装置の構成を示すブロック図である。図１に示すＩＳＣＰ測定装置１００は、逆変調シンボルから瞬時ＩＳＣＰ値を算出する瞬時ＩＳＣＰ算出器１０１と、瞬時ＩＳＣＰ値の変動量を算出するＩＳＣＰ変動量算出器１０２と、ＩＳＣＰ変動量に応じてＩＳＣＰ平均化数を算出するＩＳＣＰ平均化数算出器１０３と、ＩＳＣＰ平均化数制御信号に基づき瞬時ＩＳＣＰ値の平均化処理を行うＩＳＣＰ平均化器１０４とを備えている。
【００４９】
なお、瞬時ＩＳＣＰ算出器１０１に入力される逆変調シンボルは、受信信号に対し逆拡散処理を行った復調シンボルから情報変調を取り除いたシンボルである。また、ＩＳＣＰ平均化器１０４は、ＩＳＣＰ平均化数算出器１０３が算出したＩＳＣＰ平均化数に応じた平均化数で瞬時ＩＳＣＰ値の平均化処理を行うようになっている。
【００５０】
図２は、ＩＳＣＰ変動量算出器１０２の構成例である。図２に示すＩＳＣＰ変動量算出器１０２は、瞬時ＩＳＣＰ値を遅延する遅延器２０１と、遅延器２０１の入力である今回の瞬時ＩＳＣＰ値と遅延器２０１の出力である前回の瞬時ＩＳＣＰ値とを比較し、大きい方を小さい方で除算し、それをＩＳＣＰ変動量として出力する比較除算器２０２とを備えている。
【００５１】
ここで、表１を参照してＩＳＣＰの変動量と伝搬路環境との関係について説明する。
【表１】
2005167710.tif 000003
表１では、伝搬路環境として「ドップラー周波数」と「他セル干渉波＋マルチパス数」とが示されている。「ドップラー周波数」が低い場合と「他セル干渉波＋マルチパス数」が多い場合には、ＩＳＣＰの変動量は「小」の環境である。
【００５２】
ＩＳＣＰの変動量が「小」の環境では、測定区間を長くした方が測定精度は向上する。ドップラー周波数が高い場合において、他セル干渉波やマルチパス数が少なくなればフェージング変動により変動量は「大」の環境に当て嵌まる。つまり、ＩＳＣＰの変動量が「大」の環境であると判断するには、前記２つの伝搬路環境の情報が必要になる。
【００５３】
したがって、伝搬路環境に応じてＩＳＣＰの測定区間長を適応的に制御すれば、ＩＳＣＰの変動が小さい場合には、測定区間を長くすることができるので測定精度を向上させることができ、また、変動が大きい場合は測定区間を短くすることができるのでフェージング変動の追従性を向上させることができる。つまり、どのような伝搬路環境においても最適な測定区間長で測定精度を向上させることができる。
【００５４】
次に、以上のように構成されるＩＳＣＰ測定装置１００の動作について説明する。瞬時ＩＳＣＰ算出器１０１では、所定の定められた区間における逆変調シンボルの分散値を算出し、その値を瞬時ＩＳＣＰ値としてＩＳＣＰ変動量算出器１０２とＩＳＣＰ平均化器１０４とに出力する。なお、瞬時ＩＳＣＰ算出方法としては、例えば使用されていない拡散コードにより逆拡散された信号の電力を瞬時ＩＳＣＰ値とする方法などでもよい。
【００５５】
ＩＳＣＰ変動量算出器１０２では、比較除算器２０２は、遅延器２０１の入力である今回測定した瞬時ＩＳＣＰ値と遅延器２０１の出力である前回測定した瞬時ＩＳＣＰ値とを比較し、大きい方を小さい方で除算する。除算結果は、ＩＳＣＰの変動量を表す測定値であるＩＳＣＰ変動量となる。なお、ＩＳＣＰ変動量算出方法としては、前回の数サンプル平均後のＩＳＣＰ値と今回の瞬時ＩＳＣＰ値とを比較し、大きい方を小さい方で除算する方法などでもよい。
【００５６】
ＩＳＣＰ平均化数算出器１０３は、ＩＳＣＰ変動量が大きくなるにつれてＩＳＣＰ測定平均化数が短くなり、ＩＳＣＰ変動量が小さくなるにつれてＩＳＣＰ測定平均化数が長くなるように、ＩＳＣＰ平均化数を算出し、それをＩＳＣＰ平均化数制御信号として出力する。具体的には、ある閾値を設け、ＩＳＣＰ変動量がその閾値以上になると、短いＩＳＣＰ平均化数を算出し、その閾値以下になると、長いＩＳＣＰ平均化数を算出する。なお、閾値を複数設けて、より細かい間隔で平均化数を算出することも可能である。
【００５７】
ＩＳＣＰ平均化器１０４は、瞬時ＩＳＣＰ算出器１０１にて算出された瞬時ＩＳＣＰ値をＩＳＣＰ平均化数制御信号が示すＩＳＣＰ平均化数に応じた平均化数によって平均化処理し、それをＩＳＣＰ値として出力する。なお、ＩＳＣＰ平均化方法としては、瞬時ＩＳＣＰ値を単に平均する方法以外にも、例えばＩＩＲ平均方法などでもよい。また、瞬時ＩＳＣＰ算出の測定区間長においても、ＩＳＣＰ平均化数の制御と同様に、平均化数が長くなれば測定区間長を長くし、平均化数が短ければ測定区間長を短くするような制御を行うことができる。なお、念のため付記すれば、ＣＤＭＡ通信システムでは、瞬時ＩＳＣＰ値がスロット内ＩＳＣＰ値に対応し、ＩＳＣＰ平均化器がスロット内ＩＳＣＰ値をスロット間平均する手段に対応させることができる。
【００５８】
したがって、本実施の形態１に係るＩＳＣＰ測定装置によれば、常に伝搬路環境に応じた最適な測定区間でＩＳＣＰを算出できるので、高精度のＩＳＣＰ測定を行うことができるようになる。
【００５９】
（実施の形態２）
図３は、本発明の実施の形態２に係る電力測定装置である干渉波電力（ＩＳＣＰ）測定装置の構成を示すブロック図である。なお、図３では、図１（実施の形態１）に示した構成と同一ないしは同等である構成要素には、同一の符号が付されている。ここでは、この実施の形態２に関わる部分を中心に説明する。
【００６０】
図３に示すように、本実施の形態２に係るＩＳＣＰ測定装置３００では、図１（実施の形態１）に示した構成において、ＩＳＣＰ変動量算出器１０２が削除され、代わりにフェージング特性を示すドップラー周波数を出力するドップラー周波数出力器３０１が独立して設けられ、それに伴いＩＳＣＰ平均化数算出器１０３に代えてＩＳＣＰ平均化数算出器３０２が設けられている。ＩＳＣＰ平均化数算出器３０２は、ドップラー周波数に応じてＩＳＣＰ平均化数を算出し、それをＩＳＣＰ平均化数制御信号としてＩＳＣＰ平均化器１０４に出力するようになっている。
【００６１】
次に、以上のように構成されるＩＳＣＰ測定装置３００の動作について説明する。ドップラー周波数出力器３０１は、例えば、パイロット信号の位相回転量からドップラー周波数を算出する、あるいは、基地局からドップラー周波数情報を取得する、などよく知られた方法でドップラー周波数を取得し出力する。
【００６２】
ＩＳＣＰ平均化数算出器３０２は、ドップラー周波数がある閾値以下になると、ＩＳＣＰ測定平均化数が長くなるようにＩＳＣＰ平均化数を算出し、それをＩＳＣＰ平均化数制御信号として出力する。ＩＳＣＰ平均化器１０４は、瞬時ＩＳＣＰ算出器１０１にて算出された瞬時ＩＳＣＰ値をＩＳＣＰ平均化数制御信号が示すＩＳＣＰ平均化数に応じた平均化数によって平均化処理し、それをＩＳＣＰ値として出力する。
【００６３】
なお、ドップラー周波数と移動速度はフェージング変動に対し等価であるので、ドップラー周波数出力器３０１の代わりに移動速度検出器を用いることもできる。また、ドップラー周波数出力器３０１と移動速度検出器を組み合わせて用いることもできる。
【００６４】
したがって、本実施の形態２に係るＩＳＣＰ測定装置によれば、ＩＳＣＰ値のフェージングによる変動が小さい環境であることを容易に推測することができる。そのような環境では、ＩＳＣＰ平均化数を長く制御することができるので、高精度のＩＳＣＰ測定を容易に行うことができる。
【００６５】
（実施の形態３）
図４は、本発明の実施の形態３に係る電力測定装置である干渉波電力（ＩＳＣＰ）測定装置の構成を示すブロック図である。なお、図４では、図３（実施の形態２）に示した構成と同一ないしは同等である構成要素には、同一の符号が付されている。ここでは、この実施の形態３に関わる部分を中心に説明する。
【００６６】
図４に示すように、本実施の形態３に係るＩＳＣＰ測定装置４００では、図３（実施の形態２）に示した構成において、ドップラー周波数出力器３０１に代えて、他セル干渉量を出力する他セル干渉量出力器４０１と、マルチパス数を出力するマルチパス数出力器４０２と、他セルパス数を出力する他セルパス数出力器４０３とが独立して設けられ、それに伴いＩＳＣＰ平均化数算出器３０２に代えてＩＳＣＰ平均化数算出器４０４が設けられている。
【００６７】
ＩＳＣＰ平均化数算出器４０４は、他セル干渉量とマルチパス数と他セルパス数とからＩＳＣＰ平均化数を算出し、それをＩＳＣＰ平均化数制御信号としてＩＳＣＰ平均化器１０４に出力するようになっている。
【００６８】
次に、以上のように構成されるＩＳＣＰ測定装置４００の動作について説明する。他セル干渉量出力器４０１は、例えば、基地局から他セル干渉量情報を取得する、あるいは、移動機の位置情報などから算出するなど、よく知られた方法で他セル干渉量を取得し出力する。
【００６９】
また、マルチパス数出力器４０２は、例えば、現在の復調に使用しているFinger数をマルチパス数とするなど、よく知られた方法でマルチパス数を取得し出力する。また、他セルパス数出力器４０３は、例えば、移動機で他セルモニター用に割り当てたFinger数を利用するなど、よく知られた方法で他セルパス数を取得し出力する。
【００７０】
ＩＳＣＰ平均化数算出器４０４は、他セル干渉量出力器４０１の出力値がある閾値以上になると、ＩＳＣＰ変動の主要因が他セル干渉であると判断し、他セルパス数出力器４０３が出力する他セルパス数がある閾値以上の場合においてＩＳＣＰ平均化数を長くするようなＩＳＣＰ平均化数を算出し、それをＩＳＣＰ平均化数制御信号として出力する。
【００７１】
また、ＩＳＣＰ平均化数算出器４０４は、他セル干渉量出力器４０１の出力値がある閾値以下になると、ＩＳＣＰ変動の主要因がマルチパスであると判断し、マルチパス数出力器４０２が出力するマルチパス数がある閾値以上の場合において、ＩＳＣＰ平均化数を長くするようなＩＳＣＰ平均化数を算出し、それをＩＳＣＰ平均化数制御信号として出力する。
【００７２】
ＩＳＣＰ平均化器１０４は、瞬時ＩＳＣＰ算出器１０１にて算出された瞬時ＩＳＣＰ値をＩＳＣＰ平均化数制御信号が示すＩＳＣＰ平均化数に応じた平均化数によって平均化処理し、それをＩＳＣＰ値として出力する。
【００７３】
したがって、本実施の形態３に係るＩＳＣＰ測定装置によれば、ＩＳＣＰ値のフェージングによる変動が小さい環境であることを推測することができる。また、そのような環境では、ＩＳＣＰ平均化数を長く制御することができるので、高精度のＩＳＣＰ測定を容易に行うことができる。
【００７４】
（実施の形態４）
図５は、本発明の実施の形態４に係る電力測定装置である干渉波電力（ＩＳＣＰ）測定装置の構成を示すブロック図である。なお、図５では、図４（実施の形態３）に示した構成と同一ないしは同等である構成要素には、同一の符号が付されている。ここでは、この実施の形態４に関わる部分を中心に説明する。
【００７５】
図５に示すように、本実施の形態４に係るＩＳＣＰ測定装置５００では、図４（実施の形態３）に示した構成において、図３（実施の形態２）にて示したドップラー周波数出力器３０１が追加され、それに伴いＩＳＣＰ平均化数算出器４０４に代えてＩＳＣＰ平均化数算出器５０１が設けられている。
【００７６】
ＩＳＣＰ平均化数算出器５０１は、ドップラー周波数と他セル干渉量とマルチパス数と他セルパス数とからＩＳＣＰ平均化数を算出し、それをＩＳＣＰ平均化数制御信号としてＩＳＣＰ平均化器１０４に出力するようになっている。
【００７７】
次に、以上のように構成されるＩＳＣＰ測定装置５００の動作について説明する。ドップラー周波数出力器３０１は、実施の形態２にて説明した方法でドップラー周波数を出力する。なお、ドップラー周波数出力器３０１に代えて移動速度検出器でもよい点も同様である。また、ドップラー周波数出力器３０１と移動速度検出器を組み合わせて用いることもできる。
【００７８】
そして、実施の形態３にて説明した方法で、他セル干渉量出力器４０１は、他セル干渉量出力を出力し、マルチパス数出力器４０２は、マルチパス数を出力し、他セルパス数出力器４０３は、他セルパス数を出力する。
【００７９】
ＩＳＣＰ平均化数算出器５０１は、ドップラー周波数、他セル干渉量、マルチパス数、他セルパス数の組み合わせにより、実施の形態１〜３にて示したように、ＩＳＣＰの変動量を推測し、ＩＳＣＰ平均化数を算出し、それをＩＳＣＰ平均化数制御信号として出力する。
【００８０】
また、ＩＳＣＰ平均化数算出器５０１は、ドップラー周波数、他セル干渉量、マルチパス数、他セルパス数の全てが平均化数を長くするような制御ではない場合は、ＩＳＣＰ平均化数が短くなるように算出し、それをＩＳＣＰ平均化数制御信号として出力する。
【００８１】
ＩＳＣＰ平均化器１０４は、瞬時ＩＳＣＰ算出器１０１にて算出された瞬時ＩＳＣＰ値をＩＳＣＰ平均化数制御信号が示すＩＳＣＰ平均化数に応じた平均化数によって平均化処理し、それをＩＳＣＰ値として出力する。
【００８２】
したがって、本実施の形態４に係るＩＳＣＰ測定装置によれば、ドップラー周波数、他セル干渉量、マルチパス数、他セルパス数の全てを用いてＩＳＣＰ平均化数を算出した場合は、常に伝搬路環境に応じた最適な測定区間長でＩＳＣＰを算出できるので、高精度のＩＳＣＰ測定を行うことができる。
【００８３】
（実施の形態５）
図６は、本発明の実施の形態５に係る電力測定装置である干渉波電力（ＩＳＣＰ）測定装置の構成を示すブロック図である。なお、図６では、図１（実施の形態１）に示した構成と同一ないしは同等である構成要素には、同一の符号が付されている。ここでは、この実施の形態５に関わる部分を中心に説明する。
【００８４】
図６に示すように、本実施の形態５に係るＩＳＣＰ測定装置６００では、図１（実施の形態１）に示した構成において、伝搬路環境推定値の信頼度を算出する伝搬路環境推定信頼度算出器６０１が追加され、それに伴い、ＩＳＣＰ平均化数算出器１０３に代えてＩＳＣＰ平均化数算出器６０２が設けられている。
【００８５】
ＩＳＣＰ平均化数算出器６０２は、ＩＳＣＰ変動量算出器１０２からの伝搬路環境推定値と伝搬路環境推定信頼度算出器６０１からの伝搬路環境推定信頼度とに応じてＩＳＣＰ平均化数を算出し、それをＩＳＣＰ平均化数制御信号としてＩＳＣＰ平均化器１０４に出力するようになっている。
【００８６】
次に、以上のように構成されるＩＳＣＰ測定装置６００の動作について説明する。伝搬路環境推定信頼度算出器６０１は、例えばＳＩＲ測定値を用い、ＳＩＲ値が高ければ伝搬路環境推定信頼度が高いと判定し、ＳＩＲ値が低ければ伝搬路環境推定信頼度が低いと判定するなど、よく知られた方法で伝搬路環境推定値の信頼度を算出する。
【００８７】
ＩＳＣＰ平均化数算出器６０２は、伝搬路環境推定信頼度がある閾値以上であれば、実施の形態１と同様の動作によるＩＳＣＰ算出を行い、それをＩＳＣＰ平均化数制御信号としてＩＳＣＰ平均化器１０４に出力するが、閾値以下の場合は、伝搬路環境推定値による平均化数の制御は行わないようになっている。
【００８８】
したがって、本実施の形態５に係るＩＳＣＰ測定装置によれば、伝搬路環境推定値誤りによる平均化長の誤制御を防ぐことができ、高精度のＩＳＣＰ測定を行うことができる。
【００８９】
（実施の形態６）
図７は、本発明の実施の形態６に係る電力測定装置である希望波電力（ＲＳＣＰ）測定装置の構成を示すブロック図である。図７に示すＲＳＣＰ測定装置７００は、逆変調シンボルから瞬時ＲＳＣＰ値を算出する瞬時ＲＳＣＰ算出器７０１と、瞬時ＲＳＣＰ値の変動量を算出するＲＳＣＰ変動量算出器７０２と、ＲＳＣＰ変動量に応じてＲＳＣＰ平均化数を算出するＲＳＣＰ平均化数算出器７０３と、ＲＳＣＰ平均化数制御信号に基づき瞬時ＲＳＣＰ値の平均化処理を行うＲＳＣＰ平均化器７０４とを備えている。
【００９０】
なお、瞬時ＲＳＣＰ算出器７０１に入力される逆変調シンボルは、受信信号に対し逆拡散処理を行った復調シンボルから情報変調を取り除いたシンボルである。また、ＲＳＣＰ平均化器７０４は、ＲＳＣＰ平均化数算出器７０３が算出したＲＳＣＰ平均化数に応じた平均化数で瞬時ＲＳＣＰ値の平均化処理を行うようになっている。
【００９１】
ここで、表２を参照してＲＳＣＰの変動量と伝搬路環境との関係について説明する。
【表２】
2005167710.tif 000004
【００９２】
表２では、伝搬路環境として「ドップラー周波数」と「他セル干渉波＋マルチパス数」とが示されている。「ドップラー周波数」が低い場合には、ＲＳＣＰの変動量は「小」の環境である。一方、「ドップラー周波数」が高い場合には、ＲＳＣＰの変動量は「大」の環境である。
【００９３】
ＲＳＣＰの変動量が「小」の環境では、測定区間を長くした方が測定精度は向上する。また、ＲＳＣＰの変動量が「大」の環境では、測定区間を短くした方がフェージング変動に対する追従性能が良くなるため測定精度は向上する。なお、ＲＳＣＰの変動量における主要因は、ドップラー周波数であるので、「他セル干渉波＋マルチパス数」が多いか少ないかは、ＲＳＣＰの変動量に影響を与えていない。
【００９４】
したがって、伝搬路環境に応じてＲＳＣＰ測定区間長を適応的に制御すれば、ＲＳＣＰの変動が小さい場合は、測定区間を長くすることができるので測定精度を向上させることができ、ＲＳＣＰの変動が大きい場合は、測定区間を短くすることができるのでフェージング変動の追従性を向上させることができる。つまり、どのような伝搬路環境においても最適な測定区間長で測定精度を向上させることができる。
【００９５】
次に、以上のように構成されるＲＳＣＰ測定装置７００の動作について説明する。瞬時ＲＳＣＰ算出器７０１では、所定の定められた区間における逆変調シンボルの平均値の電力を算出し、その値を瞬時ＲＳＣＰ値としてＲＳＣＰ変動量算出器７０２とＲＳＣＰ平均化器７０４とに出力する。
【００９６】
ＲＳＣＰ変動量算出器７０２は、例えば、瞬時ＲＳＣＰ値を遅延する遅延器と、遅延器の入力である今回の瞬時ＲＳＣＰ値と遅延器の出力である前回の瞬時ＲＳＣＰ値とを比較し、大きい方を小さい方で除算し、それをＲＳＣＰ変動量として出力する比較除算器とを備えている。なお、ＲＳＣＰ変動量算出方法としては、前回の数サンプル平均後のＲＳＣＰ値と今回の瞬時ＲＳＣＰ値とを比較し、大きい方を小さい方で除算する方法などでもよい。
【００９７】
ＲＳＣＰ平均化数算出器７０３は、ＲＳＣＰ変動量が大きくなるにつれてＲＳＣＰ測定平均化数が短くなり、ＲＳＣＰ変動量が小さくなるにつれてＲＳＣＰ測定平均化数が長くなるように、ＲＳＣＰ平均化数を算出し、それをＲＳＣＰ平均化数制御信号として出力する。具体的には、ある閾値を設け、ＲＳＣＰ変動量がその閾値以上になると、短いＲＳＣＰ平均化数を算出し、その閾値以下になると、長いＲＳＣＰ平均化数を算出する。なお、閾値を複数設けて、より細かい間隔で平均化数を算出することなども可能である。
【００９８】
ＲＳＣＰ平均化器７０４は、瞬時ＲＳＣＰ算出器７０１にて算出された瞬時ＲＳＣＰ値をＲＳＣＰ平均化数制御信号が示すＲＳＣＰ平均化数に応じた平均化数によって平均化処理し、それをＲＳＣＰ値として出力する。なお、ＲＳＣＰ平均化方法としては、瞬時ＲＳＣＰ値を単に平均する方法以外にも、例えばＩＩＲ平均方法などでもよい。また、瞬時ＲＳＣＰ算出の測定区間長においても、ＲＳＣＰ平均化数の制御と同様な制御を行うことができる。なお、念のため付記すれば、ＣＤＭＡ通信システムでは、瞬時ＲＳＣＰ値がスロット内ＲＳＣＰ値に対応し、ＲＳＣＰ平均化器がスロット内ＲＳＣＰ値をスロット間平均する手段に対応させることができる。
【００９９】
したがって、本実施の形態６に係るＲＳＣＰ測定装置によれば、常に伝搬路環境に応じた最適な測定区間でＲＳＣＰを算出できるので、高精度のＲＳＣＰ測定を行うことができるようになる。
【０１００】
（実施の形態７）
図８は、本発明の実施の形態７に係る電力測定装置である希望波電力（ＲＳＣＰ）測定装置の構成を示すブロック図である。なお、図８では、図７（実施の形態６）に示した構成と同一ないしは同等である構成要素には、同一の符号が付されている。ここでは、この実施の形態７に関わる部分を中心に説明する。
【０１０１】
図８に示すように、本実施の形態７に係るＲＳＣＰ測定装置８００では、図７（実施の形態６）に示した構成において、ＲＳＣＰ変動量算出器７０２が削除され、代わりにフェージング特性を示すドップラー周波数を出力するドップラー周波数出力器３０１が独立して設けられ、それに伴いＲＳＣＰ平均化数算出器７０３に代えてＲＳＣＰ平均化数算出器８０１が設けられている。ＲＳＣＰ平均化数算出器８０１は、ドップラー周波数に応じてＲＳＣＰ平均化数を算出し、それをＲＳＣＰ平均化数制御信号としてＲＳＣＰ平均化器７０４に出力するようになっている。
【０１０２】
次に、以上のように構成されるＲＳＣＰ測定装置８００の動作について説明する。ドップラー周波数出力器３０１は、例えば、パイロット信号の位相回転量からドップラー周波数を算出する、あるいは、基地局からドップラー周波数情報を取得する、などよく知られた方法でドップラー周波数を取得し出力する。
【０１０３】
ＲＳＣＰ平均化数算出器８０１は、ドップラー周波数がある閾値以下になると、ＲＳＣＰ測定平均化数が長くなるようにＲＳＣＰ平均化数を算出し、それをＲＳＣＰ平均化数制御信号として出力する。ＲＳＣＰ平均化器７０４は、瞬時ＲＳＣＰ算出器７０１にて算出された瞬時ＲＳＣＰ値をＲＳＣＰ平均化数制御信号が示すＲＳＣＰ平均化数に応じた平均化数によって平均化処理し、それをＲＳＣＰ値として出力する。
【０１０４】
なお、ドップラー周波数と移動速度はフェージング変動に対し等価であるので、ドップラー周波数出力器３０１の代わりに移動速度検出器を用いることもできる。
【０１０５】
したがって、本実施の形態７に係るＲＳＣＰ測定装置によれば、ＲＳＣＰ値のフェージングによる変動が小さい環境であることを容易に推測することができる。そのような環境では、ＲＳＣＰ平均化数を長く制御することができるので、高精度のＲＳＣＰ測定を容易に行うことができる。
【０１０６】
（実施の形態８）
図９は、本発明の実施の形態８に係る電力測定装置である希望波電力（ＲＳＣＰ）測定装置の構成を示すブロック図である。なお、図９では、図７（実施の形態６）に示した構成と同一ないしは同等である構成要素には、同一の符号が付されている。ここでは、この実施の形態８に関わる部分を中心に説明する。
【０１０７】
図９に示すように、本実施の形態８に係るＲＳＣＰ測定装置９００では、図７（実施の形態６）に示した構成において、伝搬路環境推定値の信頼度を算出する伝搬路環境推定信頼度算出器６０１が追加され、それに伴い、ＲＳＣＰ平均化数算出器７０３に代えてＲＳＣＰ平均化数算出器９０１が設けられている。
【０１０８】
ＲＳＣＰ平均化数算出器９０１は、ＲＳＣＰ変動量算出器７０２からの伝搬路環境推定値と伝搬路環境推定信頼度算出器６０１からの伝搬路環境推定信頼度とに応じてＲＳＣＰ平均化数を算出し、それをＲＳＣＰ平均化数制御信号としてＲＳＣＰ平均化器７０４に出力するようになっている。
【０１０９】
次に、以上のように構成されるＲＳＣＰ測定装置９００の動作について説明する。伝搬路環境推定信頼度算出器６０１は、例えばＳＩＲ測定値を用い、ＳＩＲ値が高ければ伝搬路環境推定信頼度が高いと判定し、ＳＩＲ値が低ければ伝搬路環境推定信頼度が低いと判定するなど、よく知られた方法で伝搬路環境推定値の信頼度を算出する。
【０１１０】
ＲＳＣＰ平均化数算出器９０１は、伝搬路環境推定信頼度がある閾値以上であれば、実施の形態６と同様の動作によるＲＳＣＰ算出を行い、それをＲＳＣＰ平均化数制御信号としてＲＳＣＰ平均化器７０４に出力するが、閾値以下の場合は、伝搬路環境推定値による平均化数の制御は行わないようになっている。
【０１１１】
したがって、本実施の形態８に係るＲＳＣＰ測定装置によれば、伝搬路環境推定値誤りによる平均化長の誤制御を防ぐことができ、高精度のＲＳＣＰ測定を行うことができる。本実施の形態によれば、実施の形態１〜５のいずれかにて説明したＩＳＣＰ測定装置と、実施の形態６〜８のいずれかにて説明したＲＳＣＰ測定装置と、ＲＳＣＰ値をＩＳＣＰ値にて除算してＳＩＲ値を求めるＳＩＲ算出器とによって構成されるＳＩＲ測定装置では、常に伝搬環境に応じた最適な測定区間長を用いてＳＩＲの算出が行えるので、高精度のＳＩＲ測定が行えるようになる。
【０１１２】
なお、上記実施の形態５では、ＩＳＣＰ測定装置に、伝搬路環境推定値の信頼度を算出する伝搬路環境推定信頼度算出器を追加し、伝搬路環境推定値誤りによる平均化長の誤制御を防いで、高精度のＩＳＣＰ測定を実現する場合を示したが、この伝搬路環境推定信頼度算出器は、他の実施の形態１〜４のＩＳＣＰ測定装置にも適用可能であり、同様に伝搬路環境推定値誤りによる平均化長の誤制御を防いで、高精度のＩＳＣＰ測定を実現することができる。
【０１１３】
また、上記実施の形態８では、ＲＳＣＰ測定装置に、伝搬路環境推定値の信頼度を算出する伝搬路環境推定信頼度算出器を追加し、伝搬路環境推定値誤りによる平均化長の誤制御を防いで、高精度のＲＳＣＰ測定を実現する場合を示したが、この伝搬路環境推定信頼度算出器は、他の実施の形態６〜７のＲＳＣＰ測定装置にも適用可能であり、同様に伝搬路環境推定値誤りによる平均化長の誤制御を防いで、高精度のＲＳＣＰ測定を実現することができる。
【産業上の利用可能性】
【０１１４】
本発明は、ＣＤＭＡ通信システムでの移動機のように、受信する電力の変動が伝搬路環境によって大きく変化する場合におけるＲＳＣＰ（希望波電力）、ＩＳＣＰ（干渉波電力）及びＳＩＲ（ＳＩＲ＝ＲＳＣＰ／ＩＳＣＰ）の高精度測定に有用である。
【図面の簡単な説明】
【０１１５】
【図１】本発明の実施の形態１に係る電力測定装置である干渉波電力（ＩＳＣＰ）測定装置の構成を示すブロック図
【図２】図１に示すＩＳＣＰ変動量算出器の構成例を示すブロック図
【図３】本発明の実施の形態２に係る電力測定装置である干渉波電力（ＩＳＣＰ）測定装置の構成を示すブロック図
【図４】本発明の実施の形態３に係る電力測定装置である干渉波電力（ＩＳＣＰ）測定装置の構成を示すブロック図
【図５】本発明の実施の形態４に係る電力測定装置である干渉波電力（ＩＳＣＰ）測定装置の構成を示すブロック図
【図６】本発明の実施の形態５に係る電力測定装置である干渉波電力（ＩＳＣＰ）測定装置の構成を示すブロック図
【図７】本発明の実施の形態６に係る電力測定装置である希望波電力（ＲＳＣＰ）測定装置の構成を示すブロック図
【図８】本発明の実施の形態７に係る電力測定装置である希望波電力（ＲＳＣＰ）測定装置の構成を示すブロック図
【図９】本発明の実施の形態８に係る電力測定装置である希望波電力（ＲＳＣＰ）測定装置の構成を示すブロック図
【図１０】従来のＳＩＲ測定装置の基本的な構成を示すブロック図
【符号の説明】
【０１１６】
１００、３００、４００、５００、６００  干渉波電力（ＩＳＣＰ）測定装置
１０１  瞬時ＩＳＣＰ算出器
１０２  ＩＳＣＰ変動量算出器
１０３、３０２、４０４、５０１、６０２  ＩＳＣＰ平均化数算出器
１０４  ＩＳＣＰ平均化器
２０１  遅延器
２０２  比較除算器
３０１  ドップラー周波数出力器
４０１  他セル干渉量出力器
４０２  マルチパス数出力器
４０３  他セルパス数出力器
６０１  伝搬路環境推定信頼度算出器
７００、８００、９００  希望波電力（ＲＳＣＰ）測定装置
７０１  瞬時ＲＳＣＰ算出器
７０２  ＲＳＣＰ変動量算出器
７０３、８０１、９０１  ＲＳＣＰ平均化数算出器
７０４  ＲＳＣＰ平均化器
【図１】
2005167710.tif 000005
【図２】
2005167710.tif 000006
【図３】
2005167710.tif 000007
【図４】
2005167710.tif 000008
【図５】
2005167710.tif 000009
【図６】
2005167710.tif 000010
【図７】
2005167710.tif 000011
【図８】
2005167710.tif 000012
【図９】
2005167710.tif 000013
【図１０】
2005167710.tif 000014